(57)【要約】【課題】シャッターケース２のケース板を、上面と前面上半部を覆蓋する上ケース板１４と、前面下半部および下面を覆蓋する下ケース板１５とで構成したものにおいて、下ケース板１５を取り外してケース内のメンテナンスを行う場合に、該下ケース板１５を、上下方向傾斜状に持ち上げなくても簡単に取り外せるようにする。【解決手段】下ケース板１５は、シャッターケース２の下部内に設けられるケースアングル１１、１２に下側から当てがわれた状態でビス１６を介して着脱自在に取付けられるものとし、上ケース板１４の下端部には、上側が折曲し下側が開放した係止受け部１４ｆが形成され、該係止受け部１４ｆに、下ケース板１５の上端部１５ｃが下側から上下方向抜き差し自在に嵌入して係止するようにし、これによって下ケース板１５は、ビス１６を外した状態で下方に移動することで係止解除がなされる。【選択図】図１０
2014214481.tif 000002
【特許請求の範囲】
【請求項１】
シャッターカーテンが巻装される巻き取りドラムと、該巻き取りドラムの左右両端部を支持するブラケット本体を有した左右の支持ブラケットと、シャッターカーテンのガイドをするガイドレールとを備えて構成される建築用シャッター装置において、該建築用シャッター装置のシャッターケースを構成するにあたり、該シャッターケースのケース板は、少なくとも前面上半部を覆蓋する上ケース板と、前面下半部および下面を覆蓋する下ケース板とを備え、該下ケース板は、シャッターケースの下部内に設けられるケースアングルに下側から宛てがわれ止め具を介して着脱自在に取付けられるものとし、上ケース板の下端部には、上方に折曲したものがさらに下方に折曲することで上側が折曲部となり下側が開放した係止受け部が形成され、該係止受け部に、下ケース板の上端部が下側から上下方向抜き差し自在に嵌入して係止するように構成されていることを特徴とする建築用シャッター装置におけるシャッターケース。
【請求項２】
左右支持ブラケットは、ブラケット本体の左右外側面に対向するカバー本体を有した化粧カバーにより覆蓋されるものであり、カバー本体の下端縁には、支持ブラケットに対し上下方向隙間を存する状態で下側フランジ片が左右方向内方に向けて形成され、下ケース板は、左右両端がカバー本体の左右内面に対して離間していて左右に移動できる状態で左右両端部が下側フランジ片上に組み込まれ、前記止め具を取り外した状態で下ケース板を左右方向何れか一方に移動させることで他端が他方の下側フランジ片から外れて下側に引出たものを一方に向けて移動することで下ケース板の取り外しができるように構成されていることを特徴とする請求項１記載の建築用シャッター装置におけるシャッターケース。
【請求項３】
係止受け部は逆Ｖ溝形に折曲し、該折曲頂部の溝奥内端に下ケース板の上端部先端が当接していることを特徴とする請求項１または２記載の建築用シャッター装置におけるシャッターケース。
【請求項４】
係止受け部に上側から外嵌係止する第一係止フック部と、ケースアングルに下側から外嵌係止する第二係止フック部とを備えた補強体が設けられ、該補強体を介してケースアングルを上ケース板側に補強支持するように構成したことを特徴とする請求項１乃至３の何れか１記載の建築用シャッター装置におけるシャッターケース。
【発明の詳細な説明】
【技術分野】
【０００１】
本発明は、建物等の開口部に建て付けられる建築用シャッター装置におけるシャッターケースの技術分野に関するものである。
【背景技術】
【０００２】
一般に、建築用シャッター装置の中においては、シャッターケースの構成部材である左右支持ブラケットのブラケット本体に巻き取りドラムを回転自在に設け、該巻き取りドラムに巻装したシャッターカーテンを、該巻き取りドラムの正逆回動によってシャッターカーテンの巻き出し、巻き戻しをして開口部の開閉をするようにしている。ところで前記シャッターケースのなかには、シャッターケースのケース板を、少なくとも建築用シャッター装置の前面上半部を覆蓋する上ケース板と、前面下半部および下面を覆蓋する下ケース板とを備えて構成し、上ケース板と下ケース板との対向端縁部同士を連結するようにしたものが知られている（例えば特許文献１、２、３参照）。
【先行技術文献】
【特許文献】
【０００３】
【特許文献１】特許第３６１２６４１号公報
【特許文献２】特許第４４０６１６８号公報
【特許文献３】特許第５０４８３５７号公報
【発明の概要】
【発明が解決しようとする課題】
【０００４】
ところが前記従来のものは、何れのものも上ケース板と下ケース板との対向端縁部に折曲方向が逆向きとなる状態で折曲した折曲部をそれぞれ形成し、これら折曲部同士を互いに係止することにより対向端縁部同士を止め具なしで取付けられるようにし、これによってケース前面での止め具の露出をなくして外観を損なわないようにすると共に、止め具を外した後、下ケース板を移動させて折曲部同士の係止を外すことて下ケースをシャッターケースから取り外すことができるようにしているが、各折曲部は、互いに逆向きに折曲したもの同士の係止であるため、止め具を外した状態で下ケース板を下方に引き下ろすだけでは下ケース板の取り外しができず、下ケースを傾斜状に持ち上げて折曲部同士の係合をいちいち解除しなければならないが、シャッターケースは高所に配設されるものであるため、この解除作業が面倒かつ煩雑であって作業性が劣るという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、シャッターカーテンが巻装される巻き取りドラムと、該巻き取りドラムの左右両端部を支持するブラケット本体を有した左右の支持ブラケットと、シャッターカーテンのガイドをするガイドレールとを備えて構成される建築用シャッター装置において、該建築用シャッター装置のシャッターケースを構成するにあたり、該シャッターケースのケース板は、少なくとも前面上半部を覆蓋する上ケース板と、前面下半部および下面を覆蓋する下ケース板とを備え、該下ケース板は、シャッターケースの下部内に設けられるケースアングルに下側から宛てがわれ止め具を介して着脱自在に取付けられるものとし、上ケース板の下端部には、上方に折曲したものがさらに下方に折曲することで上側が折曲部となり下側が開放した係止受け部が形成され、該係止受け部に、下ケース板の上端部が下側から上下方向抜き差し自在に嵌入して係止するように構成されていることを特徴とする建築用シャッター装置におけるシャッターケースである。
請求項２の発明は、左右支持ブラケットは、ブラケット本体の左右外側面に対向するカバー本体を有した化粧カバーにより覆蓋されるものであり、カバー本体の下端縁には、支持ブラケットに対し上下方向隙間を存する状態で下側フランジ片が左右方向内方に向けて形成され、下ケース板は、左右両端がカバー本体の左右内面に対して離間していて左右に移動できる状態で左右両端部が下側フランジ片上に組み込まれ、前記止め具を取り外した状態で下ケース板を左右方向何れか一方に移動させることで他端が他方の下側フランジ片から外れて下側に引出たものを一方に向けて移動することで下ケース板の取り外しができるように構成されていることを特徴とする請求項１記載の建築用シャッター装置におけるシャッターケースである。
請求項３の発明は、係止受け部は逆Ｖ溝形に折曲し、該折曲頂部の溝奥内端に下ケース板の上端部先端が当接していることを特徴とする請求項１または２記載の建築用シャッター装置におけるシャッターケースである。
請求項４の発明は、係止受け部に上側から外嵌係止する第一係止フック部と、ケースアングルに下側から外嵌係止する第二係止フック部とを備えた補強体が設けられ、該補強体を介してケースアングルを上ケース板側に補強支持するように構成したことを特徴とする請求項１乃至３の何れか１記載の建築用シャッター装置におけるシャッターケースである。
【発明の効果】
【０００６】
請求項１の発明とすることにより、シャッターケース内のメンテナンス等をする場合に、下ケース板は、上ケース板の下端部に形成の上側が折曲し下側が開放した係止受け部に、上端部が下側から上下方向抜き差し自在に嵌入係止しているため、止め具を取り外した状態で下側に移動させることで簡単に取り外すことができることになって作業性が向上する。
請求項２の発明とすることにより、下ケース板は、左右両端部が化粧カバーに形成の下側フランジ片によって支持されるため、止め具を取り外しに伴い落下してしまうことがなく、この支持状態で、下ケース板を左右何れか一方に移動させると他端が下側フランジ片から外れて下側に引出すことができ、この引き出した状態で一方に向けて移動させることで下ケース板のシャッターケースからの取り外しができることになって下ケース板の着脱作業が容易となる。
請求項３の発明とすることにより、下ケース板の上端部先端が、逆Ｖ溝形の係止受け部の溝奥内端に当接するため、下ケース板上端部が単に係止受け部に嵌入しているに過ぎないものでありながら、ガタついたりすることなく確実な組付けができることになる。
請求項４の発明とすることにより、建築用シャッター装置の左右幅が幅広いためケースアングルが下側に撓もうとする負荷を、補強体を介して上ケース板側で支持できることになり、この結果、ケースアングルの確実な撓み防止ができることを、ビス固定することなく、第一、第二係止フックをそれぞれ係止するだけでできることになる。
【図面の簡単な説明】
【０００７】
【図１】建築用シャッター装置の概略正面図である。
【図２】シャッターケースの一部切欠き正面図である。
【図３】図２のＸ−Ｘ断面図である。
【図４】（Ａ）（Ｂ）（Ｃ）（Ｄ）は支持ブラケットの正面図、側面図、背面図、底面図である。
【図５】（Ａ）（Ｂ）は上ケース板の平面図、側面図である。
【図６】（Ａ）（Ｂ）は下ケース板の平面図、側面図である。
【図７】（Ａ）（Ｂ）は化粧カバーの側面図、Ｙ−Ｙ断面図である。
【図８】（Ａ）（Ｂ）は補強体の正面図、側面図である。
【図９】（Ａ）〜（Ｄ）は下ケース板を取り外す手順を示す概略説明図である。
【図１０】（Ａ）（Ｂ）は図２のＡ−Ａ、Ｂ−Ｂ断面図である。
【発明を実施するための形態】
【０００８】
以下、本発明の実施の形態について、図面に基づいて説明する。図面において、１は建築用シャッター装置の一例である窓シャッターを構成するシャッターカーテンであって、該シャッターカーテン１は、開口部の上方に設けたシャッターケース２に内装される巻き取りドラム３に巻装されており、該巻き取りドラム３が後述する電動開閉機４の駆動に基づいて正逆回転することによりシャッターカーテン１が巻き出し、巻き戻されて、開口部の左右両側に立設されたガイドレール５に案内される状態で開口部の開閉を行なうように構成されており、これらの基本的構成は従来通りである。
【０００９】
６は前記シャッターケース２を構成する左右の支持ブラケットであって、これら左右の支持ブラケット６のうち一方の支持ブラケット６のブラケット本体６ａには、左右方向を向く固定軸７の基端部（右側端部）が一体的に支持され、また、他方の支持ブラケット６のブラケット本体６ａには、前記電動開閉機４の基端部（左側端部）が一体的に支持されていると共に、該電動開閉機４の出力軸４ａと固定軸７とは同軸上となるように設定されている。そして、前記固定軸７の両端部外周および電動開閉機４の基端部外周には、それぞれドラムサポート８が回転自在に設けられており、さらにこれらドラムサポート８の外周に、前記シャッターカーテン１が巻装される巻き取りドラム３の内周が一体的に連結されており、これにより、巻き取りドラム３の左右両端部が左右のブラケット本体６ａに回転自在に支持されると共に、巻き取りドラム３内に電動開閉機４が内装される構成になっている。一方、電動開閉機４の出力軸４ａには、動力伝動体８ａが一体的に設けられ、該動力伝動体８ａを介して電動開閉機４の回転駆動力が巻取りドラム３に動力伝動され、これによって巻取りドラム３の正逆駆動が行われるようになっている。尚、本実施の形態において、前記電動開閉機４は、電動モータ、減速機、ブレーキ装置等、巻き取りドラム３を電動で正逆回転するに必要な各種機器を具備したものとしてユニット化されたものになっている。
因みに、固定軸７側の左右のドラムサポート８の間には、図示しないが、一端側がドラムサポート８に固定され、他端側が固定軸７に固定されていて、巻き取りドラム３がシャッターカーテン１の閉鎖方向に回転することに伴い蓄勢されて繰り出された分のシャッターカーテン２の自重とバランスするためのバランス弾機が配設されているが、勿論、バランス弾機がないものでも実施することができる。
【００１０】
ここで、前記左右の支持ブラケット６は、左右勝手違いの形状のものであって、縦平板状のブラケット本体６ａと、該ブラケット本体６ａの後縁部から左右内方に向けて折曲形成された背面板６ｂと、該背面板６ｂの上端部から上方に延びる取付け片６ｃと、ブラケット本体６ａの上縁部から左右内方に向けて折曲形成された上側フランジ片６ｄと、ブラケット本体６ａの前縁部から左右内方に向けて折曲形成された前側フランジ片６ｅと、ブラケット本体６ａの下縁部から左右内方に向けて折曲形成された前後の下側フランジ片６ｆ、６ｇとを備えている。そして、前記ブラケット本体６ａに、前述した固定軸７或いは電動開閉機４の基端部が支持される構成になっていると共に、取付け片６ｃおよび背面板６ｂの上部がビス等の固定手段（図示せず）を介して開口部上方の躯体側に固定されるようになっている。
さらに左右の支持ブラケット６同士は、ケース上側の前後に設けた第一、第二のケースアングル９、１０、ケース下側の前後に設けた第三、第四ケースアングル１１、１２によって一体的に連結されている。ここで第四ケースアングル１２は、シャッターカーテン１をガイドレール５に導くためのスペースを確保するため、前後方向中間位置に配され、シャッターカーテン１は、該第四ケースアングル１２の後側を通って巻き取りドラム３からガイドレール５に至るようになっている。
【００１１】
前記シャッターケース２は、前述した左右の支持ブラケット６、該各支持ブラケット６の左右外側に設けられる化粧カバー１３、左右支持ブラケット６間に設けられる上下ケース板１４、１５とを備えて構成されるが、上ケース板１４は、建築用シャッター装置の上面と前面（正面）の上半部とを覆蓋すべく側面視において逆Ｌ字形に折曲された上面部１４ａと前面部１４ｂとを備えており、上面部１４ａの後端は、上方に向けて折曲していて躯体に取り付けられる取付け片１４ｃが形成されている。
また上ケース板前面部１４ｂの下端は、該前面部１４ｂに対して間隙を存するよう後側に向けて凵字状に折曲された第一折曲部１４ｄが形成され、該第一折曲部１４ｄの上端は、第一折曲部１４ｄの後側面に対して下側ほど拡開するよう後側に向けて傾斜状に折曲された第二折曲部１４ｅが形成されており、これにより第一、第二折曲部１４ｄ、１４ｅの対向面間が側面視において上側が折り返し状に折曲し下側が開放した逆レ溝状（逆Ｖ溝状）の係止受け部１４ｆが構成されている。
【００１２】
一方、下ケース板１５は、シャッターケース２の前面下半部と下面とを構成すべく側面視においてＬ字形に折曲された前面部１５ａと下面部１５ｂとを備えて構成されているが、前面部１５ａの上端部１５ｃは、起立平面状（側面視直線状）となっていて前記係止受け部１４ｆに下側から遊嵌する状態で上下方向抜き差し自在に嵌入するようになっており、そして下ケース板１５を組付けたとは、上端部１５ｃの先端は、係止受け部１４ｆの溝底部内端に当接するようになっている。
また下ケース板下面部１５ｂは、左右の支持ブラケット６に左右両端部が取り付けられた第三、第四ケースアングル１１、１２に下側から当てがわれた状態でビス１６を介して着脱自在に下側から固定されるようになっている。
【００１３】
また化粧カバー１３は左右勝手違いに形成されるが、該化粧カバー１３は、ブラケット本体６ａに左右方向外側で対向する化粧ケース本体１３ａを備えているが、該化粧ケース本体１３ａの上端縁、前端縁、下端縁からは、支持ブラケット６の外形線に対して上方、前方、下方にそれぞれ隙間を存する状態で左右方向内方に向けて延出した上側フランジ片１３ｂ、前側フランジ片１３ｃ、下側フランジ片１３ｄが形成されている。
そして上ケース板１４は、左右両端部が支持ブラケット上側フランジ片６ｄと化粧カバー上側フランジ片１３ｂとのあいだの隙間、並びに支持ブラケット前側フランジ片６ｅと化粧カバー前側フランジ片１３ｃとのあいだの隙間に遊嵌状に嵌入し、その左右端縁が化粧ケース本体１３ａに当接するか近接対向する（本実施の形態ではブラケット本体６ａ位置まで嵌入している。）状態で組み込まれている。
【００１４】
これに対し下ケース板下面部１５ｂは、下面部１５ｂの左右両端部が支持ブラケット前下側フランジ片６ｆと化粧カバー下側フランジ片１３ｄの前半部とのあいだに形成される隙間に遊嵌状に嵌入しているが、下ケース板下面部１５ｂの左右端縁は、化粧ケース本体１３ａの左右内面に対して隙間Ｓだけ離間している。そしてシャッターケース２内をメンテナンスする等のため下ケース板１５を取り外すことになるが、その手順を図９に示す。これによるとまず前記ビス１６を取り外した場合に、下ケース板１５は、左右両端部が化粧カバー下側フランジ片１３ｄに支持されることになって落下することがない。この化粧カバー下側フランジ片１３ｄによる支持状態において、下ケース板１５を左右何れか一方（図９によると右方）にずらして該一方端を化粧ケース本体１３ａの左右内面に当接するか近接対向させると、下ケース板下面部１５ｂの他端は他方の化粧カバー下側フランジ片１３ｄの左右内端から外れることになり、該外れた下ケース板１５の他端部は、自重により下動して化粧カバー下側フランジ片１３ｄの左右内端から下側に抜け出ると同時に、下ケース板前面板１５ａの上端部１５ｃが上ケース板係止受け部１４ｆから下側に抜け出ることになり、該抜け出た下側ケース板１５を他端側に向けて移動させることで、下ケース板１５の一方端が一方の化粧カバー下側フランジ片１３ｄから抜け出ることになり、これによって下ケース板１５をシャッターケース２から取り外すことができるようになっている。下ケース板１５の取付けは、取り外す作業とは逆の作業をすることでできることはいうまでもない。
【００１５】
１７は補強体であって、該補強体１７には、上端部に上ケース板１４の第一、第二折曲部１４ｄ、１４ｅにより形成される係止受け部１４ｆの折曲頂部１４ｇに上側から係止する第一係止フック１７ａと、シャッターケース２の前下部位に配される第三ケースアングル１１に下側から係止する第二係止フック１７ｂとが形成されており、これによって補強体１７は、第三ケースアングル１１を上ケース板１４側に係止保持するようになっており、これによって第三ケースアングル１１の撓み防止をするようになっている。尚、下ケース板下面部１５ｂの第三ケースアングル１１へのビス１６による固定位置は、本実施の形態では図１０（Ｂ）に示す如く補強体１７のない部位となっており、この結果、下ケース板下面部１５ｂは、図１０（Ａ）に示すように補強体１７がある部位では補強体１７の肉厚分、下側にへこんだ状態になっているが、ビス固定しても実施することができる。
【００１６】
尚、シャッターケース２には、内部配線１８、電動開閉機４の駆動制御をする制御部１９、開閉停止等の操作信号を受信する信号受信部２１、前記配線１８をブラケット本体６ａに結束するため結束孔６ｈに巻回される結束バンド２２が設けられている。
【００１７】
叙述の如く構成された本実施の形態において、シャッターケース２内のメンテナンス等により下ケース板１５を取り外すには、前述したようにビス１６を取り外すことになるが、そうすると、下ケース板１５は左右両端部が化粧カバー下側フランジ片１３ｄに受け止め支持される状態となり、この状態から下ケース板１５を左右何れか一方に移動させる。すると下ケース１５の他端側が該側の化粧カバー下側フランジ片１３ｄから外れることになり、該外れた下ケース板１５の他端部は、自重により下動して化粧カバー下側フランジ片１３ｄの左右内端から下側に抜け出ると同時に、下ケース板前面板１５ａの上端部１５ｃが上ケース板係止受け部１４ｆから下側に抜け出ることになり、該抜け出た下側ケース板１５を他端側に向けて移動させるという所謂行って来い移動をすることで、下ケース板１５の一方端も一方の化粧カバー下側フランジ片１３ｄから抜け出ることになり、これによって下ケース板１５をシャッターケース２から取り外すことができるようになっている。
【００１８】
このように本発明が実施されたものにおいては、シャッターケース２のケース板は、建築用シャッター装置の上面と前面上半部とを覆蓋する上面部１４ａおよび前面部１４ｂを有した上ケース板１４と、前面下半部と下面とを覆蓋する前面部１５ａおよび下面部１５ｂを有した下ケース板１５とを備えて構成され、そして下ケース板１５は、第三、第四ケースアングル１１、１２に下側から当てがわれビス１６を介して着脱自在に取付けられている一方、上ケース板１４の下端部には第一、第二折曲部１４ｄ、１４ｅにより上側が折曲し下側が開放した係止受け部１４ｆが形成され、そして該係止受け部１４ｆに、下ケース板１５の上端部１５ｃが下側から上下方向抜き差し自在に嵌入することで係止し、これにより連結状態になっているものであるため、下ケース板１５の着脱をする場合に、下ケース板１５は上下方向に動くだけで簡単に着脱ができることになって、従来のように互いに形成された折曲部同士を係合しあうもののように、下ケース板を斜め上方に持ち上げて係合解除するような作業が不要になって着脱作業が容易となる。
【００１９】
しかもこのものでは、左右支持ブラケット６を覆蓋する左右化粧カバー１３に形成の下側フランジ片１３ｄ上に下ケース板１５の左右両端部が組み込まれて支持された状態になるため、下ケース板１５は、ビス１６による固定がない状態でも落下することがなく仮保持状態に維持される。そして下ケース板１５を、この仮保持状態に組み込む場合、逆に仮保持状態から取り外す場合、前述したように、上下ケース板１４、１５同士の係止およびその解除は、上ケース板１４に対し下ケース板１５を上下移動することでできるため、下ケース板１５を、その左右両端とカバー本体１３ａの左右内面とのあいだに形成される隙間Ｓを利用して左右に往復移動させる所謂行って来い移動させることでできることになり、このため下ケース板１５の着脱作業が容易となる。
【００２０】
またこのものでは、下ケース板１５が取り付けられている状態で、該したケース板１５の上端部１５ｃの先端が係止受け部１４ｆの溝底部内端に当接していて、前後方向に不用意に動くことがないため、該部位についてビスによる固定がなくても確実な組付けができることになる。
【００２１】
そのうえこのものでは、係止受け部１４ｆに上側から外嵌係止する第一係止フック部１７ａと、第三ケースアングル１１に下側から外嵌係止する第二係止フック部１７ｂとを備えた補強体１７が設けられている結果、シャッターケース２の前下位置に配されていて、躯体から遠い位置にある第三ケースアングル１１を上ケース板１４側に補強体１７を介して吊り持ち状に補強支持する構成になっているため、シャッターカーテン２が左右方向に幅広いが故に第三ケースアングル１１が下側に向けて撓み変形しようとするの防止することができる。
【産業上の利用可能性】
【００２２】
本発明は、建築物に設けられる窓等の開口部に建て付けられる建築用シャッター装置のシャッターケースに利用することができる。
【符号の説明】
【００２３】
１    シャッターカーテン
２    シャッターケース
３    巻き取りドラム
６    支持ブラケット
１１    第三ケースアングル
１３    化粧カバー
１３ｄ  下側フランジ片
１４    上ケース板
１４ｂ  前面部
１４ｄ  第一折曲部
１４ｅ  第二折曲部
１４ｆ  係止受け部
１４ｇ  折曲頂部
１５    下ケース板
１５ａ  前面部
１５ｂ  下面部
１６    ビス
１７    補強体
１７ａ  第一係止フック
１７ｂ  第二係止フック
【図１】
2014214481.tif 000003
【図２】
2014214481.tif 000004
【図３】
2014214481.tif 000005
【図４】
2014214481.tif 000006
【図５】
2014214481.tif 000007
【図６】
2014214481.tif 000008
【図７】
2014214481.tif 000009
【図８】
2014214481.tif 000010
【図９】
2014214481.tif 000011
【図１０】
2014214481.tif 000012